(57)【要約】      （修正有）【課題】３通りの拡大率の加工を施し、且つ、境目が目立たないような加工を施したレンズを用いることで、手元、中間位置及び遠方のすべてに対応でき、しかも、見た目が損なわれず、且つ、使い勝手が良い眼鏡型拡大鏡を提供する。【解決手段】上部３ａ、中間部３ｂ、下部３ｃにそれぞれ異なる拡大率加工を施したレンズ３が用いられる。レンズ３の上部３ａの拡大率が１．０〜１．１倍であり、中間部３ｂの拡大率が１．１〜１．２倍であり、下部３ｃの拡大率が１．２〜２．５倍である。上部３ａと中間部３ｂ境界部の境界部５の倍率は上部と中間部の倍率の中間値にされ、中間部３ｂと下部３ｃの倍率は中間部３ｂと下部３ｃの倍率の中間値にされる。【選択図】図１
0003223568.tif 000002
【実用新案登録請求の範囲】
【請求項１】
上部、中間部、下部にそれぞれ異なる拡大率加工を施したレンズが用いられていることを特徴とする眼鏡型拡大鏡。
【請求項２】
前記レンズの上部の拡大率が１．０〜１．２倍であり、中間部の拡大率が１．１〜２．０倍であり、下部の拡大率が１．２〜２．５倍であり、前記拡大率の大きさは、上部＜中間部＜下部である、請求項１に記載の眼鏡型拡大鏡。
【請求項３】
前記上部と中間部の境界部の倍率は前記上部と中間部の倍率の中間値にされ、前記中間部と下部の境界部の倍率は前記中間部と下部の倍率の中間値にされている、請求項１又は２に記載の眼鏡型拡大鏡。
【請求項４】
前記境界部の縦方向の幅は１ｍｍ以下である、請求項３に記載の眼鏡型拡大鏡。
【請求項５】
前記上部、中間部、下部の幅は、前記上部が最大である、請求項１乃至４のいずれかに記載の眼鏡型拡大鏡。
【請求項６】
つるのレンズフレームに対するヒンジ止め部にバネが組み込まれることにより、前記つるは外開き可能である、請求項１乃至６のいずれかに記載の眼鏡型拡大鏡。
【考案の詳細な説明】
【技術分野】
【０００１】
本考案は、１つのレンズに異なる拡大率の加工を施した眼鏡型拡大鏡に関するものである。
【背景技術】
【０００２】
近時、レンズに拡大鏡の機能を持たせた眼鏡型拡大鏡が種々出回っている。物を見る場合、手元の本を見たり針通しをしたりする場合、少し離れたパソコン操作等を行う場合、人と話をしたり遠くを見たりする場合等があるが、それぞれの場合に適した拡大率があるため、レンズの拡大率が異なっている眼鏡型拡大鏡が用意されているが、近くを見る場合や遠くを見る場合にいちいち眼鏡を交換するのは煩わしいことである。そこで、従来、レンズを上下に二分割し、上部の度数や拡大率と下部の度数や拡大率とが異なるようにした眼鏡や眼鏡型拡大鏡が提案されている（特許文献１：実用新案登録第３０６５８６７号公報，特許文献２：特開平６−１８８２２号公報）。
【先行技術文献】
【特許文献】
【０００３】
【特許文献１】実用新案登録第３０６５８６７号公報
【特許文献２】特開平６−１８８２２号公報
【考案の概要】
【考案が解決しようとする課題】
【０００４】
上記提案に係る眼鏡ないし拡大鏡の場合は、倍率や拡大率が２通りであるため、手元、中間位置及び遠方のすべてに対応し得るものではない。また、上下の境目が目立ち、外観に影響するという問題があった。
【０００５】
そこで本考案は、３通りの拡大率の加工を施し、且つ、境目が目立たないような加工を施したレンズを用いることで、手元、中間位置及び遠方のすべてに対応でき、しかも、見た目が損なわれず、且つ、使い勝手が良い眼鏡型拡大鏡を提供することを課題とする。
【課題を解決するための手段】
【０００６】
上記課題を解決するための請求項１に記載の考案は、上部、中間部、下部にそれぞれ異なる拡大率加工を施したレンズが用いられていることを特徴とする眼鏡型拡大鏡である。
【０００７】
一実施形態においては、前記レンズの上部の拡大率が１．０〜１．２倍であり、中間部の拡大率が１．１〜２．０倍であり、下部の拡大率が１．２〜２．５倍であり、前記拡大率の大きさは、上部＜中間部＜下部となっている。前記上部と中間部の境界部の倍率は前記上部と中間部の倍率の中間値にされ、前記中間部と下部の境界部の倍率は前記中間部と下部の倍率の中間値にされる。その場合の前記境界部の縦方向の幅は１ｍｍ以下である。また、前記上部、中間部、下部の幅は、前記上部が最大である。
【０００８】
一実施形態においては、つるのフレームに対するヒンジ止め部にバネが組み込まれることにより、前記つるは外開き可能にされる。
【考案の効果】
【０００９】
本考案によれば、１つの拡大鏡で３種の拡大率を補うことができ、また、境界部が目立たない加工が施されるため、外観が損なわれることがない眼鏡型拡大鏡を提供することができる。また、請求項６に係る考案の場合は、つるが外に開くために、掛け外しが楽という効果がある。
【図面の簡単な説明】
【００１０】
【図１】本考案に係る眼鏡型拡大鏡の斜視図である。
【図２】本考案に係る眼鏡型拡大鏡の平面図である。
【図３】本考案に係る眼鏡型拡大鏡におけるつるの取付方法を示す要部の部分断面図である。
【図４】本考案に係る眼鏡型拡大鏡におけるつるの取付に用いる板バネを示す斜視図である。
【図５】本考案に係る眼鏡型拡大鏡の使用態様を示す図である。
【考案を実施するための形態】
【００１１】
本考案に係る眼鏡型拡大鏡につき、添付図面に依拠しながら説明する。図１は、本考案に係る眼鏡型拡大鏡の正面斜視図であり、そこに示されるように、本考案に係る眼鏡型拡大鏡１は、一般の眼鏡と同じ形態のものであり、つる４がヒンジ止めされたフレーム２にレンズ３が嵌め付けられて構成される。フレーム２は、一般的なフレーム形状でよく、素材も、例えば、プラスチックやチタンが用いられる。
【００１２】
レンズ３は、遠方視用の上部３ａ、中間視用の中間部３ｂ、手元視用の下部３ｃに区域分けされ、それぞれ異なる拡大率加工が施される。例えば、上部３ａの拡大率が１．０〜１．２倍にされ、中間部３ｂの拡大率が１．１〜２．０倍にされ、下部３ｃの拡大率が１．２〜２．５倍にされ、拡大率の大きさが、上部３ａ＜中間部３ｂ＜下部３ｃとなるようにされる。
【００１３】
上部３ａと中間部３ｂの境界部５、及び、中間部３ｂと下部３ｃの境界部６には、通常時においては視認できない加工が施される。即ち、境界部５は上部３ａと中間部３ｂの拡大率の中間値となるように加工され、境界部６は中間部３ｂと下部３ｃの中間値となるように加工される。このように境界部５，６の拡大率を中間値にすることで、境界部の厚みを両側の部位の厚みに近づけることができるため、上部３ａから中間部３ｂにかけて、並びに、中間部３ｂから下部３ｃにかけて大きな段差かできたり、溝となったりすることが防止され、視覚上境界部５、６を確認することができない状態に維持することができる。なお、境界部５、６の縦幅は、いずれも１ｍｍ以下であることが好ましい。
【００１４】
一実施形態として、上部３ａ、中間部３ｂ及び下部３ｃの縦幅は、最も使用頻度があることが予想される拡大率の最も低い上部３ａを最高幅とし、他の中間部３ｂと下部３ｃの幅は、略同一にすることが考えられる。他の実施形態としては、上部：中間部：下部を１：１：１とすることが考えられる。
【００１５】
レンズ３は、サングラスのように、彩色されることもある。この場合において、レンズ３の彩色と、フレーム２の彩色を同一にすることもある。
【００１６】
好ましい実施形態においては、つる４のフレーム３に対するヒンジ止め部にバネが組３込まれることにより、つる４が外開き可能となるようにされる。バネとしては、例えば、図５に示されるような、ねじりコイルバネの如き態様の板バネ１０が用いられる。この板バネ１０は、板材の一端部に長さ方向に２本の切込み１１を入れて突片１２を形成し、突片１２の両側部を丸めて軸支部１３としたものである。この板バネ１０は、突片１２と軸支部１３を残してつる４内に埋入固定し、軸支部１３に、フレーム２の端部に突設される枢支軸１４を挿入することにより、フレーム２の端部に固定される。フレーム２の端部には、突片１２が枢支軸１４を軸にして回動するための回動スペース１５が確保される。
【００１７】
この実施形態の場合、つる４を畳むときは、突片１２は回動スペース１５内を無負荷状態にて回動するので、特に板バネ１０の弾発力は作用しない（図３（Ａ））。装着時につる４を拡げると、突片１２の先端が回動スペース１５の内壁に当たるが（図３（Ｂ））、少し力を加えれば、板バネ１０の弾発力に抗して更につる４を拡げることができる（図３（Ｃ））ので、装脱が楽である。
【００１８】
上記のとおり、レンズ３は、遠方視用の上部３ａ、中間視用の中間部３ｂ、手元視用の下部３ｃに区域分けされ、それぞれ異なる拡大率加工が施されており、しかも、上部３ａを正面を向く遠方視用とし、中間部３ｂを少し下を向く中間視用とし、下部３ｃを下向きとなる手元視用としているので、本考案に係る眼鏡型拡大鏡１台で以て、遠方視、中間視及び手元視に適応できる（図５参照）。
【産業上の利用可能性】
【００１９】
本考案に係る眼鏡型拡大鏡は、１つの眼鏡で３通りの拡大率を補うことができるものであり、使い勝手もよく、産業上大いに利用可能性のある考案である。
【符号の説明】
【００２０】
１    眼鏡型拡大鏡
２    フレーム
３    レンズ
３ａ  上部
３ｂ  中間部
３ｃ  下部
４    つる
５    境界部
６    境界部
１０    板バネ
１１    切込み
１２    突片
１３    軸支部
１４    枢支軸
１５    回動スペース
【図１】
0003223568.tif 000003
【図２】
0003223568.tif 000004
【図３】
0003223568.tif 000005
【図４】
0003223568.tif 000006
【図５】
0003223568.tif 000007